(57)【要約】【課題】簡潔な構造で飲み口が劣化しにくい栓体及びこれを備える飲料用容器を提供する。【解決手段】栓体２０は、容器本体１０の開口部１１に取り付けられる栓本体２１と、栓本体２１を貫通し、栓本体２１から容器本体１０の外側に立設した部分が飲み口２３０となる筒状部２３と、栓本体２１に螺着されて飲み口２３０を覆う蓋体２２と、を備える。筒状部２３は、容器本体１０内に位置する筒部材３０と繋がって、容器本体１０内から飲み口２３０への飲料の流路を形成する。飲み口２３０は、弾性部材からなり、蓋体２２は、栓本体２１に向かって突起する突起部２２２ａを有する。蓋体２２が栓本体２１に螺着されると、突起部２２２ａの少なくとも一部が飲み口２３０の開口内に挿入されて、突起部２２２ａが飲み口２３０を押圧することで止水する。【選択図】図３
2015224054.tif 000002
【特許請求の範囲】
【請求項１】
容器本体と一体となって飲料用容器を構成する栓体であって、
前記容器本体の開口部に取り付けられる栓本体と、
前記栓本体を貫通する筒状部であって、前記栓本体から前記容器本体の外側に立設した部分が飲み口となる筒状部と、
前記栓本体に螺着されて前記飲み口を覆う蓋体と、を備え、
前記筒状部は、前記容器本体内に位置する筒部材と繋がって、前記容器本体内から前記飲み口への飲料の流路を形成し、
前記飲み口は、弾性部材からなり、
前記蓋体は、前記栓本体に向かって突起する突起部を有し、
前記蓋体が前記栓本体に螺着されると、前記突起部の少なくとも一部が前記飲み口の開口内に挿入されて、前記突起部が前記飲み口を押圧することで止水する、
ことを特徴とする栓体。
【請求項２】
前記突起部は、先端に向かって次第に縮径して形成され、
前記蓋体が前記栓本体に螺着されると、前記飲み口の開口内に挿入された前記突起部の外周面が、前記飲み口の内周面を前記飲み口の径方向に押圧することで止水する、
ことを特徴とする請求項１に記載の栓体。
【請求項３】
前記栓本体を貫通する筒状の弾性部材からなる通気弁をさらに備え、
前記通気弁は、前記栓本体から前記容器本体の外側に立設した部分が止水壁となり、
前記蓋体は、前記栓本体に螺着されると、前記止水壁を前記栓本体に向かって押圧することで前記通気弁の上部を止水する、
ことを特徴とする請求項１又は２に記載の栓体。
【請求項４】
前記栓本体は、前記容器本体の開口を覆う天板部を有し、
前記筒状部と前記通気弁とは、それぞれ異なる位置で前記天板部を貫通し、
前記蓋体は、前記容器本体の径方向に突出するフランジ部を有し、
前記蓋体が前記栓本体に螺着されると、前記フランジ部が前記止水壁を押圧する、
ことを特徴とする請求項３に記載の栓体。
【請求項５】
前記蓋体が前記栓本体に螺着される過程で、前記蓋体に前記飲み口が押圧された後に、前記止水壁が押圧される、
ことを特徴とする請求項３又は４に記載の栓体。
【請求項６】
前記筒状部と前記通気弁とは一体に形成されている、
ことを特徴とする請求項３乃至５のいずれか１項に記載の栓体。
【請求項７】
前記栓本体には、前記栓本体が前記容器本体の開口部に取り付けられた状態において、前記容器本体の開口端を覆う止水部材が設けられ、
前記止水部材と前記筒状部と前記通気弁とは一体に形成されている、
ことを特徴とする請求項６に記載の栓体。
【請求項８】
請求項１乃至７のいずれか１項に記載の栓体と、
前記容器本体と前記筒部材とを備える飲料用容器。
【請求項９】
前記流路は、前記容器本体の高さ方向に延びる軸線に沿って形成され、
前記容器本体の内底部は、前記軸線に向かって傾斜して窪んでいる、
ことを特徴とする請求項８に記載の飲料用容器。
【発明の詳細な説明】
【技術分野】
【０００１】
本発明は、栓体及び栓体を備える飲料用容器に関する。
【背景技術】
【０００２】
飲料用容器を構成する栓体として、特許文献１に開示されているものがある。この栓体は、飲料を収容する容器本体に取り付けられる栓本体と、栓本体を開閉する蓋体とを備えている。そして、栓本体には飲料を吸飲するためのストローが設けられている。この栓体は、蓋体を閉じることによって、ストローの飲み口部分が折り曲げられ、ストローが止水されると共に栓体内に格納される構造となっている。
【０００３】
また、特許文献２には、ストローを折り曲げずに止水し、格納する栓体が開示されている。この栓体では、ストローがばねで出方向に付勢され、ヒンジ回動する蓋体には止水片が設けられている。この栓体は、蓋体を閉じることによって、止水片でストローの飲み口を止水すると共に、止水片でストローをばねの付勢方向に抗って押すことで飲み口を栓体内に格納する構造となっている。
【先行技術文献】
【特許文献】
【０００４】
【特許文献１】特許第５３０１３９８号公報
【特許文献２】登録実用新案第３０８８８５３号公報
【発明の概要】
【発明が解決しようとする課題】
【０００５】
特許文献１の栓体では、飲み口部分が折り曲げられ、負荷が集中するため、飲み口が劣化しやすい。また、特許文献２の栓体の構成は、飲み口の止水・格納構造が複雑である。構造が複雑だと洗浄性に劣るといった問題が生じる。
【０００６】
本発明は、上記実状を鑑みてなされたものであり、簡潔な構造で飲み口が劣化しにくい栓体及びこれを備える飲料用容器を提供することを目的とする。
【課題を解決するための手段】
【０００７】
上記目的を達成するため、本発明の第１の観点に係る栓体は、
容器本体と一体となって飲料用容器を構成する栓体であって、
前記容器本体の開口部に取り付けられる栓本体と、
前記栓本体を貫通する筒状部であって、前記栓本体から前記容器本体の外側に立設した部分が飲み口となる筒状部と、
前記栓本体に螺着されて前記飲み口を覆う蓋体と、を備え、
前記筒状部は、前記容器本体内に位置する筒部材と繋がって、前記容器本体内から前記飲み口への飲料の流路を形成し、
前記飲み口は、弾性部材からなり、
前記蓋体は、前記栓本体に向かって突起する突起部を有し、
前記蓋体が前記栓本体に螺着されると、前記突起部の少なくとも一部が前記飲み口の開口内に挿入されて、前記突起部が前記飲み口を押圧することで止水する、
ことを特徴とする。
【０００８】
前記栓体において、
前記突起部は、先端に向かって次第に縮径して形成され、
前記蓋体が前記栓本体に螺着されると、前記飲み口の開口内に挿入された前記突起部の外周面が、前記飲み口の内周面を前記飲み口の径方向に押圧することで止水する、
ようにしてもよい。
【０００９】
前記栓体は、前記栓本体を貫通する筒状の弾性部材からなる通気弁をさらに備え、
前記通気弁は、前記栓本体から前記容器本体の外側に立設した部分が止水壁となり、
前記蓋体は、前記栓本体に螺着されると、前記止水壁を前記栓本体に向かって押圧することで前記通気弁の上部を止水する、
ようにしてもよい。
【００１０】
前記栓本体は、前記容器本体の開口を覆う天板部を有し、
前記筒状部と前記通気弁とは、それぞれ異なる位置で前記天板部を貫通し、
前記蓋体は、前記容器本体の径方向に突出するフランジ部を有し、
前記蓋体が前記栓本体に螺着されると、前記フランジ部が前記止水壁を押圧する、
ようにしてもよい。
【００１１】
前記蓋体が前記栓本体に螺着される過程で、前記蓋体に前記飲み口が押圧された後に、前記止水壁が押圧される、ようにしてもよい。
【００１２】
前記筒状部と前記通気弁とは一体に形成されている、ようにしてもよい。
【００１３】
前記栓本体には、前記栓本体が前記容器本体の開口部に取り付けられた状態において、前記容器本体の開口端を覆う止水部材が設けられ、
前記止水部材と前記筒状部と前記通気弁とは一体に形成されている、
ようにしてもよい。
【００１４】
上記目的を達成するため、本発明の第２の観点に係る飲料用容器は、
前記栓体と、前記容器本体と前記筒部材とを備える。
【００１５】
前記飲料用容器において、
前記流路は、前記容器本体の高さ方向に延びる軸線に沿って形成され、
前記容器本体の内底部は、前記軸線に向かって傾斜して窪んでいる、
ようにしてもよい。
【発明の効果】
【００１６】
本発明によれば、簡潔な構造で飲み口が劣化しにくい栓体及びこれを備える飲料用容器を提供することができる。
【図面の簡単な説明】
【００１７】
【図１】本発明の一実施形態に係る飲料用容器の正面図である。
【図２】本発明の一実施形態に係る飲料用容器の斜視図である。
【図３】図１に示す飲料用容器のＡ−Ａ線断面図である。
【図４】本発明の一実施形態に係る栓体の蓋体を外した状態における平面図である。
【発明を実施するための形態】
【００１８】
本発明の一実施形態について、図面を参照して説明する。
【００１９】
本実施形態に係る飲料用容器１は、図１〜図４に示すように、容器本体１０と、栓体２０と、筒部材３０と、を備える。
飲料用容器１は、後述する筒状部２３と、筒部材３０とによって構成されるストローにより、容器本体１０に収容された飲料をユーザが吸飲することが可能な容器として構成されている。飲料用容器１は、例えば、片手で持てる大きさに形成されている。
【００２０】
以下では、構成の理解を容易にするため、飲料用容器１の高さ方向において、栓体２０側を上、容器本体１０側を下として、飲料用容器１の各部を適宜説明する。
【００２１】
容器本体１０は、飲料を収容する。容器本体１０は、図３に断面で示すように、開口部１１と底部１２とを有し、上部開口の有底筒状に形成されている。容器本体１０の開口部１１の外周には、栓体２０を螺着可能なネジ部１３が形成されている。
【００２２】
容器本体１０は、その高さ方向に延びる軸線ＡＸに対して、概ね回転対称に形成されている。つまり、軸線ＡＸは容器本体１０の中心軸線である。
【００２３】
容器本体１０は、金属製の内容器１０ａと外容器１０ｂとを接合して形成され、両者の間に真空部を設けた真空断熱構造のものである。
容器本体１０の底部１２のうち、内容器１０ａによって形成される内底部１２ａは、図３に示すように、軸線ＡＸに向かって下方に傾斜して窪んでいる。内底部１２ａをこのように形成した理由は後に述べる。
【００２４】
栓体２０は、容器本体１０に着脱自在に取り付けられるものであり、栓本体２１と、蓋体２２と、筒状部２３と、通気弁２４と、止水部材２５と、を備える。
【００２５】
栓本体２１は、略有底筒状に形成されており、天板部２１０と、側周部２１１と、を有する。
【００２６】
天板部２１０は、栓体２０が容器本体１０に取り付けられた状態で、容器本体１０の開口を覆う部分である。天板部２１０は、図４に示すように、平面視で円状に形成されている。
【００２７】
天板部２１０の中心には、蓋体２２が取り付けられる部分である被取付部２１２が形成されている。被取付部２１２は、天板部２１０の上面から上方に突出して形成されている。被取付部２１２は、軸線ＡＸを中心に円筒状に形成されている。これにより、天板部２１０の中心には、天板部２１０の上下空間を連通する第１の連通孔２１０ａが形成されている。
【００２８】
図３に示すように、被取付部２１２の外周には、蓋体２２の後述するネジ部２２０ａと螺合するネジ部２１２ａが形成されている。また、被取付部２１２の内周には、軸線ＡＸに向かって突出するリブ２１２ｂが形成されている。リブ２１２ｂに嵌め合わされるようにして、後述するように筒状部２３が被取付部２１２の内側に設けられる。
【００２９】
また、図３、図４に示すように、天板部２１０のうち、第１の連通孔２１０ａと異なる位置には、天板部２１０の上下空間を連通する第２の連通孔２１０ｂが形成されている。第２の連通孔２１０ｂ内には、後述するように通気弁２４が設けられる。
【００３０】
側周部２１１は、天板部２１０の外周端から垂下して形成される部分である。側周部２１１の内面には、容器本体１０のネジ部１３と螺合するネジ部２１１ａが形成されている。これにより、栓体２０は、容器本体１０に螺着可能となっている。
【００３１】
蓋体２２は、栓本体２１に着脱自在に取り付けられるものであり、後述の飲み口２３０を覆う覆い部２２０と、フランジ部２２１と、を有する。
【００３２】
覆い部２２０は、下方に開口した有底筒状に形成された部分である。覆い部２２０は、上方へと次第に縮径するように形成されている。覆い部２２０の内周面の下端部には、栓本体２１のネジ部２１２ａと螺合するネジ部２２０ａが形成されている。これにより、蓋体２２は、栓本体２１に螺着され、後述の飲み口２３０を覆う。
【００３３】
蓋体２２は、上から見て反時計回り（以下、開方向）に回転操作されると、ネジ部２２０ａが栓本体２１のネジ部２１２ａに案内されて、上昇して栓本体２１から離れていく。一方、蓋体２２は、時計回り（以下、閉方向）に回転操作されると、下降して栓本体２１に近づいていく。
【００３４】
覆い部２２０の上端の天頂部２２２には、内面から栓本体２１に向かって（下方に向かって）突起する突起部２２２ａが形成されている。
【００３５】
突起部２２２ａは、図３に示すように、先端に向かって次第に縮径して形成されている。蓋体２２が栓本体２１に取り付けられた状態において、突起部２２２ａは、その中心が軸線ＡＸと略一致するように形成されている。つまり、突起部２２２ａは、軸線ＡＸに向かって下方に縮径するように突出している。
蓋体２２が閉方向に回転操作され、栓本体２１に螺着されると、突起部２２２ａの少なくとも一部が、後述の飲み口２３０の開口内に挿入されて、飲み口２３０が止水される。
【００３６】
フランジ部２２１は、覆い部２２０の下端から径方向外側に突出する部分である。フランジ部２２１は、図２に示すように、円盤状に形成されている。蓋体２２が栓本体２１に螺着された状態において、フランジ部２２１の下面は、栓本体２１の天板部２１０の上面と略平行になるように形成されている。
蓋体２２が閉方向に回転操作され、栓本体２１に螺着されると、フランジ部２２１の下面において、後述する止水壁２４１が押圧されて通気弁２４の上部が止水される。また、蓋体２２は、栓本体２１に螺着される過程で、飲み口２３０、通気弁２４の順で段階的に止水するように構成されている。このようにした理由は後述する。
【００３７】
フランジ部２２１の外周端には、下方に突出する防水壁２２１ａが全周に渡って形成されている。この防水壁２２１ａは、蓋体２２が栓本体２１に螺着された状態において、栓本体２１の天板部２１０と当接し、飲料用容器１が振動や衝撃を受け、後述のスリット２４０ａから飲料が染み出した際に、蓋体２２と栓本体２１との間から飲料が外に漏れ出すことを防止する。
【００３８】
筒状部２３は、エラストマーなどの弾性部材から形成されている。筒状部２３は、栓本体２１が容器本体１０に取り付けられた状態で、その中心が軸線ＡＸと略一致するように配設されている。筒状部２３は、栓本体２１の第１の連通孔２１０ａに挿入されて、栓本体２１に取り付けられている。具体的には、筒状部２３は、第１の連通孔２１０ａに圧入され、特に、被取付部２１２のリブ２１２ｂと嵌合されていることにより、栓本体２１の被取付部２１２との間を液密に保っている。
【００３９】
筒状部２３のうち、栓本体２１（具体的には、被取付部２１２）から上方に立設する部分は、ユーザが飲料を吸飲する際に口を付ける飲み口２３０として構成されている。
【００４０】
飲み口２３０は、開口端部の内周が上方に向かうに従って拡径するように形成されている。これにより、飲み口２３０の開口端部の内周には、全周に渡って、傾斜面２３０ａが形成されている。この傾斜面２３０ａにより、蓋体２２が栓本体２１に螺着される際に、蓋体２２の突起部２２２ａが飲み口２３０の開口内に案内される。そして、突起部２２２ａが飲み口２３０の開口内に挿入されると、傾斜面２３０ａが突起部２２２ａの外周面によって径方向に押圧され、飲み口２３０が良好に止水される。
【００４１】
筒状部２３の下端部２３１は、図３に示すように、栓体２０が容器本体１０に取り付けられた状態において、容器本体１０内に位置する。このようにして、筒状部２３は、栓本体２１の天板部２１０を上下方向で貫通している。筒状部２３の下端部２３１には、筒部材３０が下方から係入される。これにより、筒状部２３は、筒部材３０と繋がってストローを構成し、容器本体１０内から飲み口２３０への飲料の流路を形成する。
【００４２】
通気弁２４は、容器本体１０の内部空間と外部空間とを連通するものであり、容器本体１０を通気するために設けられている。これにより、ユーザがストローから飲料を吸飲し易くなると共に、容器本体１０の内圧が上昇していたとしても、飲み口２３０から飲料が飛散することを防止することができる。通気弁２４は、蓋体２２の回転操作に伴って昇降する蓋体２２のフランジ部２２１によって開閉される。
【００４３】
通気弁２４は、エラストマーなどの弾性部材から形成されている。通気弁２４は、有底筒状に形成され、栓本体２１の第２の連通孔２１０ｂに係入されるようにして、栓本体２１の天板部２１０を上下方向で貫通している。
【００４４】
通気弁２４の底部２４０は、栓本体２１が容器本体１０に取り付けられた状態で、容器本体１０内に位置している。この底部２４０には、図４に示すように、スリット２４０ａが形成されている。スリット２４０ａは、底部２４０を切り抜いて形成されている。例えば、スリット２４０ａは、同図に示すように十字状に形成されている。
スリット２４０ａにより、通気弁２４を開放すると容器本体１０が通気される。このようにスリット２４０ａを設ければ、通気弁２４の底部２４０を開口せずに済むため、蓋体２２が十分に螺着されておらず、閉弁状態が不完全であったとしても、飲料が通気弁２４から外に漏れ出ることを極力防止できる。
【００４５】
通気弁２４の上端は、栓本体２１から容器本体１０の外側に（具体的には、天板部２１０から上方に）立設している。通気弁２４のうち、栓本体２１の上方に立設した部分は、止水壁２４１として構成されている。
【００４６】
止水壁２４１は、その外径が、栓本体２１の第２の連通孔２１０ｂの径よりも若干大きく形成されている。これにより、通気弁２４と第２の連通孔２１０ｂとの間から飲料が漏れ出すことを防止している。また、止水壁２４１は、栓本体２１に蓋体２２が螺着されると、蓋体２２のフランジ部２２１によって、下方に押圧される。これにより、止水壁２４１とフランジ部２２１との間は、止水される。つまり、通気弁２４が閉状態となる。
【００４７】
止水部材２５は、エラストマーなどの弾性部材から形成されている。止水部材２５は、円盤状をなし、栓本体２１の天板部２１０の下面を全域に渡って覆うように設けられている。止水部材２５は、栓本体２１が容器本体１０に螺着されると、容器本体１０の開口端を下方に押圧しつつ覆う。このようにして、止水部材２５は、容器本体１０の開口端において止水する。これにより、容器本体１０の開口端と栓本体２１との間から、飲料が外に漏れ出すことが防止される。
【００４８】
本実施形態では、筒状部２３と通気弁２４と止水部材２５とは、一体に形成されている。このように一体に形成することで、飲料用容器１の部品点数を削減することができ、組み付けも容易となっている。
【００４９】
筒部材３０は、所定の樹脂から円筒状に形成されている。筒部材３０は、前述のように、筒状部２３に下方から係入され、ストローを構成する。筒状部２３に係入された筒部材３０は、その径中心が軸線ＡＸと略一致するようにして、容器本体１０の内底部１２ａに向かって延びる格好となる。
【００５０】
ここからは、以上のように構成される飲料用容器１における蓋体２２の開閉操作を説明する。
【００５１】
図３に示すように、蓋体２２が栓本体２１に螺着されている状態では、飲み口２３０、通気弁２４共に、蓋体２２によって止水されている。以下、この状態を栓体２０の閉状態という。
【００５２】
蓋体２２を開方向に回転操作すると、栓本体２１に螺着された蓋体２２は上昇していき、やがて、栓本体２１に設けられたネジ部２１２ａから離脱する。これにより、蓋体２２を栓本体２１から取り外すことが可能となる。
【００５３】
栓体２０の閉状態から、開方向に蓋体２２を回転操作する過程では、まず、蓋体２２のフランジ部２２１が通気弁２４の止水壁２４１から離れる。これにより、通気弁２４は開状態となり、スリット２４０ａを介して、容器本体１０が通気される。蓋体２２を開方向に回転操作し続けると、蓋体２２の突起部２２２ａが次第に飲み口２３０から離れていくと共に、蓋体２２は栓本体２１のネジ部２１２ａから離脱する。そして、蓋体２２を栓本体２１０から取り外せば、ユーザは、露出した飲み口２３０から容器本体１０内の飲料を吸飲することができる。
【００５４】
このように、栓体２０は、蓋体２２を開方向に回転操作して取り外す際に、通気弁２４、飲み口２３０の順で段階的に開放するように構成されている。したがって、容器本体１０の内圧が上昇していても、通気弁２４により確実に容器本体１０を通気した上で、飲み口２３０を開放できるため、飲み口２３０から飲料が飛散することを防止できる。
【００５５】
なお、飲料用容器１においては、容器本体１０の内底部１２ａが軸線ＡＸに向かって下方に傾斜して窪んでおり、且つ、飲み口２３０を有する筒状部２３と筒部材３０とで構成されるストローが軸線ＡＸを中心として配置されている。これにより、容器本体１０の内底部１２ａの中心に飲料を集めることができ、中心に集められた飲料をストローで効率良く吸飲することができるため、飲み口２３０から吸いきれない飲料の量を減らすことができる。つまり、ユーザは飲料用容器１を傾けずとも最後まで飲料を飲みきることができる。
【００５６】
ユーザが飲料を飲むのを止めて、飲料用容器１を携帯する時などには、外されていた蓋体２２を、栓本体２１の被取付部２１２に合わせて、閉方向に回転操作する。これにより、蓋体２２が栓本体２１に螺着されて、栓体２０は閉状態になる。
【００５７】
閉方向に蓋体２２を回転操作して栓体２０が閉状態になるまでの過程では、蓋体２２の突起部２２２ａが次第に飲み口２３０に近づいていき、傾斜面２３０により、突起部２２２ａが飲み口２３０の開口内へと案内される。そして、突起部２２２ａが飲み口２３０の開口内に挿入されると、傾斜面２３０ａが突起部２２２ａの外周面によって径方向に押圧され、飲み口２３０が止水される。
閉方向に回転操作されて、蓋体２２が栓本体２１に近づいてく過程では、飲み口２３０が突起部２２２ａによって止水された後に、蓋体２２のフランジ部２２１によって、通気弁２４が閉状態になる。具体的には、フランジ部２２１によって、通気弁２４の止水壁２４１が、栓本体２１の天板部２１０に向かって押圧されることで、フランジ部２２１と止水壁２４１との間は止水される。
【００５８】
このように、栓体２０は、蓋体２２を栓本体２１に螺着する際には、飲み口２３０、通気弁２４の順で段階的に止水するように構成されている。したがって、飲み口２３０を止水することによって容器本体１０の内圧が上昇しても、通気弁２４で容器本体１０を通気した上で、飲み口２３０、通気弁２４共に止水することができる。そのため、蓋体２２を栓本体２１に取り付ける際にも、飲み口２３０から飲料が飛散することを防止できる。
【００５９】
以上に説明した栓体２０は、容器本体１０の開口部１１に取り付けられる栓本体２１と、栓本体２１を貫通する筒状部２３であって、栓本体２１から容器本体１０の外側に立設した部分が飲み口２３０となる筒状部２３と、栓本体２１に螺着されて飲み口２３０を覆う蓋体２２と、を備える。筒状部２３は、容器本体１０内に位置する筒部材３０と繋がって、容器本体１０内から飲み口２３０への飲料の流路を形成し、飲み口２３０は、弾性部材からなり、蓋体２２は、栓本体２１に向かって突起する突起部２２２ａを有する。そして、蓋体２２栓本体２１に螺着されると、突起部２２２ａの少なくとも一部が飲み口２３０の開口内に挿入されて、突起部２２２ａが飲み口２３０を押圧することで止水する。
このように、飲み口２３０を折り曲げずに止水することができるため、飲み口２３０が劣化しにくく、飲み口２３０が切れてしまうこと等を防止できる。また、蓋体２２に、弾性部材からなる止水部材などをあえて設ける必要がないため、構造が簡潔であり、洗浄性にも優れる。さらに、栓体２０は、飲み口２３０を蓋体２２で覆う構造となっているため、落下衝撃などによる飲み口２３０の倒れや軸ずれを防止することができる。
【００６０】
また、栓体２０においては、突起部２２２ａは、先端に向かって次第に縮径して形成され、蓋体２２が栓本体２１に螺着されると、飲み口２３０の開口内に挿入された突起部２２２ａの外周面が、飲み口２３０の内周面を飲み口２３０の径方向に押圧することで止水する。
この構成により、蓋体２２を栓本体２１に螺着した際に、突起部２２２ａが飲み口２３０の内部に滑らかに入り込むため、飲み口２３０の倒れや軸ずれを、より良好に防止できる。また、止水性にも優れる。
【００６１】
また、栓体２０は、栓本体２１を貫通する筒状の弾性部材からなる通気弁２４をさらに備え、通気弁２４は、栓本体２１から容器本体１０の外側に立設した部分が止水壁２４１となり、蓋体２２は、栓本体２１に螺着されると、止水壁２４１を栓本体２１に向かって押圧することで通気弁２４において止水する。
このようにしたから、前述したように、飲料を飲み口２３０からスムーズに吸飲することができ、また、飲み口２３０から飲料が飛散することを防止できる。また、通気弁２４の上部で止水する構造となっているため、仮にスリット２４０ａが欠損してしまっても、漏水を防止することができる。
【００６２】
また、栓本体２１は、容器本体１０の開口を覆う天板部２１０を有し、筒状部２３と通気弁２４とは、それぞれ異なる位置で天板部２１０を貫通し、蓋体２２は、容器本体１０の径方向に突出するフランジ部２２１を有し、蓋体２２が栓本体２１に螺着されると、フランジ部２２１が止水壁２４１を押圧する。
このように、蓋体２２に全周に渡るフランジ部２２１を設けたため、蓋体２２の回転方向位置によらず、通気弁２４の止水壁２４１を押圧することができる。これにより、通気弁２４からの漏水を良好に防止できる。
【００６３】
また、栓体２０では、蓋体２２が栓本体２１に螺着される過程で、蓋体２２に飲み口２３０が押圧された後に、止水壁２４１が押圧される。
このように、栓体２０は、蓋体２２を閉める際に、飲み口２３０、通気弁２４の順で段階的に止水するよう構成されている。そのため、前述したように、容器本体１０の内圧が上がっていたとしても、飲み口２３０から飲料が飛散することを確実に防止できる。
【００６４】
また、筒状部２３と通気弁２４とは一体に形成されているため、部品点数を削減できる。
【００６５】
また、栓本体２１には、栓本体２１が容器本体１０の開口部１１に取り付けられた状態において、容器本体１０の開口端を覆う止水部材２５が設けられ、止水部材２５と筒状部２３と通気弁２４とは一体に形成されている。
このようにしたから、さらに部品点数を削減できる。また、止水部材２５と筒状部２３と通気弁２４とを別体で形成した場合において生じる、それぞれの取り付け部を介しての漏水を防止できるため、止水性が向上する。
【００６６】
また、栓体２０と容器本体１０と筒部材３０とを備える飲料用容器１において、筒状部２３と筒部材３０とにより形成される流路は、容器本体の高さ方向に延びる軸線ＡＸに沿って形成され、容器本体１０の内底部１２ａは、軸線ＡＸに向かって傾斜して窪んでいる。
このようにしたから、前述したように、飲み口２３０から吸いきれない飲料の量を減らすことができる。
【００６７】
なお、本発明は以上の実施形態によって限定されるものではない。本発明の要旨を変更しない範囲で、適宜、変更（構成要素の削除も含む）を加えることが可能である。
【００６８】
以上の説明では、止水部材２５と筒状部２３と通気弁２４とが一体で形成される例を示したが、これらのうち少なくとも一部は別体であってもよい。ただし、前述のように一体で形成したほうが、部品点数・止水性の観点からは良い。
【００６９】
以上の説明では、筒状部２３と筒部材３０とにより形成される流路は、容器本体１０の中心軸線である軸線ＡＸに沿って形成され、容器本体１０の内底部１２ａは、軸線ＡＸに向かって傾斜して窪んでいる例を示したが、これに限られない。
流路が延びる方向は中心軸線からずれていてもよい。また、内底部１２ａの窪む方向も中心軸線からずれていてもよい。ただし、飲み口２３０から吸いきれない飲料の量を減らす観点からは、流路と内底部１２ａが窪む方向とは一致していることが好ましい。
【００７０】
以上の説明では、本発明の理解を容易にするために、重要でない公知の技術的事項の説明を適宜省略した。
【符号の説明】
【００７１】
１  飲料用容器
１０  容器本体
１１  開口部
１２  底部
１２ａ  内底部
ＡＸ  軸
２０  栓体
２１  栓本体
２１０  天板部
２１０ａ  第１の連通孔
２１０ｂ  第２の連通孔
２１１  側周部
２１１ａ  ネジ部
２１２  被取付部
２１２ａ  ネジ部
２１２ｂ  リブ
２２  蓋体
２２０  覆い部
２２０ａ  ネジ部
２２２ａ  突起部
２２１  フランジ部
２３  筒状部
２３０  飲み口
２３０ａ  傾斜面
２４  通気弁
２４０ａ  スリット
２４１  止水壁
２５  止水部材
３０  筒部材
【図１】
2015224054.tif 000003
【図２】
2015224054.tif 000004
【図４】
2015224054.tif 000005
【図３】
2015224054.tif 000006